(57)【要約】【課題】遠心式粗選フィルタについて、粉塵負荷の軽減のための高位置稼動および格納設備の適合性拡大のための低位置収納を確保しつつ、メンテナンス負荷の軽減および異物分離機能の確保による濾過式エアクリーナの異常目詰まりの防止を可能とするコンバインのエンジン吸気構造を提供する。【解決手段】コンバインのエンジン吸気構造は、濾過式エアクリーナ（Ａ）を備えたエンジン吸気管（９）の吸気端を起立部（１１）として機体上部に起立配置し、その頂部に渦流によって異物を遠心分離する遠心式粗選フィルタ（９ａ）を取付け、上記エンジン吸気管（９）の起立部（１１）には、遠心式粗選フィルタ（９ａ）を正立姿勢のままその高さを変更可能に支持する伸縮管（１２）を備えたものである。【選択図】図４
2009118801.tif 000002
【特許請求の範囲】
【請求項１】
濾過式エアクリーナ（Ａ）を介設したエンジン吸気管（９）の吸気端を起立部（１１）として機体上部に起立配置し、その頂部に渦流によって異物を遠心分離する遠心式粗選フィルタ（９ａ）を取付け、上記エンジン吸気管（９）の起立部（１１）には、遠心式粗選フィルタ（９ａ）を正立姿勢のままその高さ位置を変更可能に支持する伸縮管（１２）を備えてなることを特徴とするコンバインのエンジン吸気構造。
【請求項２】
前記遠心式粗選フィルタ（９ａ）の高さを調節するべく、伸縮管（１２）に連結して伸縮調節するための操作レバー（１３）を備えることを特徴とする請求項１記載のコンバインのエンジン吸気構造。
【発明の詳細な説明】
【技術分野】
【０００１】
本発明は、コンバインのエンジン吸気構造に関するものである。
【背景技術】
【０００２】
特許文献１に示されるように、エンジン吸気管のプレクリーナとして遠心式粗選フィルタを高さ切換可能に取付けたコンバインが知られている。このエンジン吸気管は、濾過式エアクリーナを介設するとともに吸気端部を機体上部に起立配置し、その頂部に遠心式粗選フィルタを取付け、この遠心式粗選フィルタを含む起立部を可倒式に構成したものである（例えば、同文献の図２３）。
【０００３】
上記遠心式粗選フィルタは、外気中に混入する異物を遠心分離した上で濾過式エアクリーナによって微細異物を分離することにより、収穫作物および圃場面の粉塵環境の下におけるコンバインの圃場作業においてエンジン稼動をサポートする。また、上記可倒構造により、直立位置では最大限の地上高によって異物負荷が低減され、濾過式フィルタを含むメンテナンス作業を軽減することができ、一方、倒伏位置では機体の地上高が抑えられて低位置収納ができるので、コンバインの格納の際に屋根の低い納屋等の簡易な格納設備にも適合することができる。
【特許文献１】特開平１１−１１３３４９号公報
【発明の開示】
【発明が解決しようとする課題】
【０００４】
しかしながら、上記格納設備にコンバインを格納する際は、遠心式粗選フィルタを横倒しにする前に、その都度、内部の分離異物の排出作業が必要となるので、煩に絶えないという問題があった。すなわち、遠心式粗選フィルタは、その部分縦断面を伴う詳細な側面図の一例を図７に示すように、平面視で円形の本体部の下方から流入する外気Ｆを円周方向に案内するガイドＧによって内部に渦流を起こし、その遠心力によって外気Ｆから分離された異物Ｐが上蓋Ｔに沿って案内され、この上蓋Ｔに続く外周部Ｒに受けて混入異物Ｐを貯留するように構成されている。
【０００５】
したがって、外周部Ｒに受けた分離異物Ｐをそのままにして遠心式粗選フィルタを横倒しにするとその分離異物Ｐが機器内部に拡散され、この内部拡散異物はその後に吸気端部を直立した際に吸気管Ｃ内を落下して濾過式エアクリーナの目詰まりの原因となることから、遠心式粗選フィルタの正規の使用条件を満たすためには、コンバインを格納する都度、事前に上蓋Ｔと外周部Ｒを外して分離異物Ｐを排出するメンテナンス作業を強いられることとなる。
【０００６】
また、遠心式粗選フィルタは、所定の直立姿勢で重力方向と対応して異物の遠心分離動作をするように設計されており、横倒し姿勢の場合は重力方向との関係で充分な異物分離作用が得られないことから、吸気端部の直立操作の失念により、または、故障により、圃場作業の際に遠心式粗選フィルタを倒伏したままエンジンを稼動すると濾過式エアクリーナの異常目詰まりを招き、エンジン出力の低下によってコンバインによる収穫作業計画に大きな影響を及ぼすという問題があった。
【０００７】
解決しようとする問題点は、エンジン吸気管の遠心式粗選フィルタについて、粉塵負荷の軽減のための高位置稼動および格納設備の適合性拡大のための低位置収納を確保しつつ、メンテナンス負荷の軽減および異物分離機能の確保による濾過式エアクリーナの異常目詰まりの防止を可能とするコンバインのエンジン吸気構造を提供することにある。
【課題を解決するための手段】
【０００８】
請求項１に係る発明は、濾過式エアクリーナ（Ａ）を介設したエンジン吸気管（９）の吸気端を起立部（１１）として機体上部に起立配置し、その頂部に渦流によって異物を遠心分離する遠心式粗選フィルタ（９ａ）を取付け、上記エンジン吸気管（９）の起立部（１１）には、遠心式粗選フィルタ（９ａ）を正立姿勢のままその高さ位置を変更可能に支持する伸縮管（１２）を備えてなることを特徴とする。
【０００９】
上記エンジン吸気管（９）は、機体上部配置の起立部（１１）の頂部において遠心式粗選フィルタ（９ａ）によって外気の異物を粗選別し、次いで濾過式エアクリーナ（Ａ）によって微細異物を分離することによりエンジン吸気中の混入異物が排除され、この時、遠心式粗選フィルタ（９ａ）は、伸縮管（１２）を伸ばすと最大限の地上高で正立姿勢で支持され、一方、伸縮管（１２）を縮めることによって機体高さが抑えられるとともに、遠心式粗選フィルタ（９ａ）の正立姿勢が維持されて貯留異物が安定的に保持されるとともに、エンジン稼働によっても異物分離機能の維持により濾過式エアクリーナ（Ａ）の異常目詰まりが防止される。
【００１０】
請求項２に係る発明は、請求項１の構成において、前記遠心式粗選フィルタ（９ａ）の高さを調節するべく、伸縮管（１２）に連結して伸縮調節するための操作レバー（１３）を備えることを特徴とする。
上記操作レバー（１３）によって伸縮管（１２）を伸縮調節することにより、遠心式粗選フィルタ（９ａ）が正立姿勢を維持しつつ高さ位置が上下に調節される。
【発明の効果】
【００１１】
請求項１の発明は、エンジン吸気管の起立部（１１）に介設した伸縮管（１２）により、最小限の異物負荷環境におけるエンジン稼動によるコンバインの圃場作業効率および機体格納設備の適合性を確保した上で、機体格納の際の遠心式粗選フィルタ（９ａ）について異物排出のメンテナンス負荷が軽減されるとともに、エンジン稼動の際に伸縮管（１２）の伸張操作の失念や故障により遠心式粗選フィルタ（９ａ）が低位置収納状態であっても濾過式エアクリーナ（Ａ）の異常目詰まりが防止されることから安定した収穫作業を確保することができる。
【００１２】
請求項２の発明は、操作レバー（１３）により遠心式粗選フィルタ（９ａ）の正立姿勢を維持しつつ高さ位置が上下に調節されることから、遠心式粗選フィルタ（９ａ）の高さ位置の切換えがレバー（１３）によって簡易に操作することができる。
【発明を実施するための最良の形態】
【００１３】
上記技術思想に基づいて具体的に構成された実施の形態について以下に図面を参照しつつ本発明の実施の形態について説明する。
本発明に係るコンバイン１は、機体側面図および平面図を図１、図２にそれぞれ示すように、機体フレーム２を走行可能に支持する左右のクローラ３，３と、機体の前部で圃場から穀稈を刈取る刈取部４と、この刈取部４を監視するとともに機体機器を操縦するための操縦席５と、刈取部４から受けた刈取り穀稈を脱穀する脱穀部６と、脱穀部６の側方で脱穀穀粒を貯留しつつ袋詰めするホッパー７と、その下部に配置した袋詰め作業用のキャリア８等を備えて構成される。操縦席５の下方には図示せぬエンジンＥを備えた原動部を搭載し、この原動部からエンジン吸気管９を機体上部に起立配置し、その頂部にプレクリーナとしての遠心式粗選フィルタ９ａを備える。
【００１４】
この遠心式粗選フィルタ９ａは、吸気の際の渦流により外気中の混入異物を遠心分離しつつ内部に貯留する。すなわち、遠心式粗選フィルタ９ａは、前述の図７に示すように、本体部が平面視円形でこの本体部の下方から流入する外気Ｆを円周方向に案内するガイドＧによって内部に渦流を起こし、その遠心力によって外気Ｆから分離された異物Ｐが上蓋Ｔに沿って案内され、この上蓋Ｔに続く外周部Ｒに受けて混入異物Ｐを貯留する。
【００１５】
エンジン吸気管９は、基部側に図示せぬ濾過式エアクリーナＡを介設して操縦席５の背面位置を立ち上がり、コンバイン１の正面図を図３に示すように、吸気端を平面視の機体中央位置に直立して起立部１１を形成し、この起立部１１に遠心式粗選フィルタ９ａを正立姿勢のままその高さ位置を変更可能に支持する伸縮管１２を介設し、その伸縮調節用の操作レバー１３を操縦席５の近傍に配置する。伸縮管１２は蛇腹機構等により伸縮可能に構成し、遠心式粗選フィルタ９ａを正立姿勢のままその高さ位置を変更可能に支持しうるダクト状の伸縮支持手段である。
【００１６】
操作レバー１３は、部分側面図を伴う要部拡大図を図４に示すように、エンジン吸気管９の起立部１１の近傍に支持台２１を設けて軸支し、その先端を上下動作可能に伸縮管１２の上部に連結する。また、操作レバー１３の後端部に操作用のグリップ２２を形成し、その近傍にラック状の掛止溝を形成することにより操作レバー１３の位置を変更して固定可能な掛止手段２３を設ける。この掛止手段２３は、少なくとも、伸縮管１２の最伸張位置と最短縮位置を選択可能に掛止固定が可能に構成する。
【００１７】
上述のようにエンジン吸気管９を構成することにより、機体上部配置の起立部１１の頂部において遠心式粗選フィルタ９ａによって外気Ｆの混入異物が粗選別され、次いで濾過式エアクリーナＡによって微細異物が分離されることによりエンジン吸気の異物が排除される。この時、遠心式粗選フィルタ９ａは、伸縮管１２を伸ばすと最大限の地上高で正立姿勢で支持され、一方、伸縮管１２を縮めることによって機体高さが抑えられるとともに、遠心式粗選フィルタ９ａの正立姿勢が維持されて同フィルタ内の分離異物Ｐが安定的に外周部Ｒに保持されるとともに、異物分離機能の維持により濾過式エアクリーナＡの異常目詰まりが防止される。
【００１８】
したがって、エンジン吸気管９の起立部１１に介設した伸縮管１２によって遠心式粗選フィルタ９ａの正規の使用条件が満たされることとなり、最小限の異物負荷環境におけるエンジン稼動によるコンバインの圃場作業効率および機体格納設備の適合性を確保した上で、機体格納の際の遠心式粗選フィルタ９ａについて正規の使用条件を満たすための分離異物排出のメンテナンス負荷が軽減されるとともに、伸縮管１２の伸張操作の失念等によっても濾過式エアクリーナＡの異常目詰まりが防止されることから安定した収穫作業を確保することができる。
【００１９】
また、操作レバー１３によって伸縮管１２を伸縮調節することにより、遠心式粗選フィルタ９ａが正立姿勢を維持しつつ高さ位置が上下に調節されることから、操縦席５からオペレータが手を伸ばしてレバー１３を操作することにより、遠心式粗選フィルタ９ａの高さ位置を簡易に切換えすることができる。
【００２０】
（脱穀部）
次に、脱穀部６について説明する。
脱穀部６は、その側面図および平面図をそれぞれ図５、図６に示すように、扱胴３１と処理胴３２を上段に、その下方に揺動選別棚３３を備え、この揺動選別棚３３の扱胴排塵口Ｐに臨む位置に排塵ラック３４を備えて構成される。この排塵ラック３４は、株元側長さＬ１を小さく、穂先側長さＬ２を大きく形成する。なお、Ｑは排塵ラック３４の上に所定の間隔をおいて設置したストローラックである。Ｒは唐箕、Ｓは一番螺旋、Ｔは二番螺旋である。
【００２１】
上記構成の排塵ラック３４は、長わらが多く排出される扱室穂先側と処理室の下側について面積を大きくするとともに株元側の面積を小さくすることにより、唐箕風の向きを阻害することなく、扱室および処理室から排出されて揺動選別棚３３に落下する長わらなどを受け、稈切れの混入を防止することができる。また、上記排塵ラック３４の向きを横断流ファン３５のある機体左側に向けることにより、排塵口、処理室から排出された長わらが横断流ファン３５に吸込み易くなる。
【図面の簡単な説明】
【００２２】
【図１】コンバインの機体側面図
【図２】コンバインの平面図
【図３】コンバインの正面図
【図４】部分側面図を伴う要部拡大図
【図５】脱穀部の側面図
【図６】脱穀部の平面図
【図７】遠心式粗選フィルタの部分縦断面を伴う側面図
【符号の説明】
【００２３】
９      エンジン吸気管
９ａ    遠心式粗選フィルタ
１１    起立部
１２    伸縮管
１３    操作レバー
Ａ      濾過式エアクリーナ
【図１】
2009118801.tif 000003
【図２】
2009118801.tif 000004
【図３】
2009118801.tif 000005
【図４】
2009118801.tif 000006
【図５】
2009118801.tif 000007
【図６】
2009118801.tif 000008
【図７】
2009118801.tif 000009